(57)【要約】【課題】  本発明は、開封補助摘み片を引っ張ることにより開封タブが引っ張られて容易に開封することができると共に広告宣伝効果も高めることができる開封容易で広告宣伝効果の高いプルトップ缶を提供する。【解決手段】  開封容易で広告宣伝効果の高いプルトップ缶１０の上端面１２には脆弱線１４によって開封部１６が区画形成されている。前記上端面１２には開封タブ２０が上端面１２に沿うようにして倒された状態で設けられている。開封タブ２０のブリッジ部２６には開封補助摘み片３０が回動可能に取り付けられている。開封補助摘み片３０の第１片部３４の表面３４Ｂと第２片部３６の表面３６Ｂには前記缶本体１１に収容されているソフトドリンクのブランド等を記載できる広告宣伝記載部４２が形成されている。【選択図】  図１
2005170411.tif 000002
【特許請求の範囲】
【請求項１】
内容物が収容される缶本体と、この缶本体の上端面に形成された開封部と、前記缶本体の上端面に沿うようにして倒された状態で配設された開封タブと、この開封タブに取り付けられた開封補助摘み片と、この開封補助摘み片の表面に形成された広告宣伝記載部と、を有してなることを特徴とする開封容易で広告宣伝効果の高いプルトップ缶。
【請求項２】
内容物が収容される缶本体と、この缶本体の上端面に形成された脆弱部によって区画形成された開封部と、前記缶本体の上端面に沿うようにして倒された状態で配設された開封タブと、この開封タブに形成されたブリッジ部と、このブリッジ部に回動可能に取り付けられた開封補助摘み片と、この開封補助摘み片の表面に形成されると共に前記内容物のブランド等が記載される広告宣伝記載部と、を有してなることを特徴とする開封容易で広告宣伝効果の高いプルトップ缶。
【請求項３】
内容物が収容される缶本体と、この缶本体の上端面に形成されると共に脆弱部によって区画形成された開封部と、前記缶本体の上端面に沿うようにして倒された状態で配設されると共に先端部を起こすと基端部が開封部を缶本体に押し込めることにより缶本体を開封する開封タブと、この開封タブに貫通穴が設けられたことにより形成されたブリッジ部と、このブリッジ部に回動可能に取り付けられた開封補助摘み片と、この開封補助摘み片に形成された摘み部と、前記開封補助摘み片の表面に形成されると共に前記内容物のブランド等が記載される広告宣伝記載部と、を有してなることを特徴とする開封容易で広告宣伝効果の高いプルトップ缶。
【請求項４】
内容物が収容される缶本体と、この缶本体の上端面に形成されると共に脆弱部によって区画形成された開封部と、前記缶本体の上端面に沿うようにして倒された状態で配設されると共に先端部を起こすと基端部が開封部を缶本体に押し込めることにより缶本体を開封する開封タブと、この開封タブに貫通穴が設けられたことにより形成されたブリッジ部と、このブリッジ部に回動可能に取り付けられた開封補助摘み片と、この開封補助摘み片に形成された摘み部と、前記開封補助摘み片の表面に形成されると共に前記内容物のブランド等が記載される広告宣伝記載部と、前記開封補助摘み片の裏面に形成されると共にくじの結果等を示す文字や記号が記載される文字記号記載部と、を有してなることを特徴とする開封容易で広告宣伝効果の高いプルトップ缶。
【発明の詳細な説明】
【技術分野】
【０００１】
本発明は、開封タブに取り付けられた開封補助摘み片を引っ張ると開封タブが引っ張られて簡単に開封することができると共に広告宣伝効果も高めることができる開封容易で広告宣伝効果の高いプルトップ缶に関する。
【背景技術】
【０００２】
缶入りのソフトドリンクやアルコールドリンク等を収容する缶の中には缶本体の上端面に設けられた開封タブを起こして引っ張るだけで簡単に開封できるプルトップ缶と称される缶が広く使用されている。
このプルトップ缶の開封タブは缶本体の上端面に沿って倒れた状態で設けられている。
このため、前記プルトップ缶を開封する場合は、開封タブの先端部を指で引っ掛けて開封タブを起こし、起き上がった開封タブを指で摘んで上方に強く引っ張ることにより開封タブの基端部が前記上端面に形成された開封部を缶本体の内部に押し込むことにより開封するようになっている。
しかし、上述したように前記開封タブは前記上端面に沿って倒れた状態になって設けられているので開封タブの先端部を指で引っ掛けて起こし難く、特に力の弱い子供や女性あるいは爪を長く伸ばしている者等は開封タブを起こし難くて缶の開封が困難である。
このため、前記開封タブを起こして容易に開封できる専用開封具が提案されている。
しかし、屋外等でプルトップ缶を開封する場合等においては、一々前記専用開封具を携帯して、缶を開封する必要があるため面倒で煩雑である。
そこで、開封タブに環状の取っ手を取り付けて取っ手を引っ張ることにより開封タブを起こして簡単に開封できるプルトップ缶が提案されている（例えば、特許文献１参照。）。
しかし、このタイプのプルトップ缶は単に開封タブに取っ手を取り付けた構造であるため、開封タブを起こして開封を容易に行えるだけしかの効果しか有していない。
【０００３】
【特許文献１】実開平７−１５５３６号公報
【発明の開示】
【発明が解決しようとする課題】
【０００４】
本発明は、上記事実に鑑みなされたものであり、開封補助摘み片を引っ張ることにより開封タブが引っ張られて容易に開封することができると共に広告宣伝効果も高めることができる開封容易で広告宣伝効果の高いプルトップ缶を提供するものである。
【課題を解決するための手段】
【０００５】
請求項１の発明は、内容物が収容される缶本体と、この缶本体の上端面に形成された開封部と、前記缶本体の上端面に沿うようにして倒された状態で配設された開封タブと、この開封タブに取り付けられた開封補助摘み片と、この開封補助摘み片の表面に形成された広告宣伝記載部と、を有してなることを特徴としている。
請求項２の発明は、内容物が収容される缶本体と、この缶本体の上端面に形成された脆弱部によって区画形成された開封部と、前記缶本体の上端面に沿うようにして倒された状態で配設された開封タブと、この開封タブに形成されたブリッジ部と、このブリッジ部に回動可能に取り付けられた開封補助摘み片と、この開封補助摘み片の表面に形成されると共に前記内容物のブランド等が記載される広告宣伝記載部と、を有してなることを特徴としている。
請求項３の発明は、内容物が収容される缶本体と、この缶本体の上端面に形成されると共に脆弱部によって区画形成された開封部と、前記缶本体の上端面に沿うようにして倒された状態で配設されると共に先端部を起こすと基端部が開封部を缶本体に押し込めることにより缶本体を開封する開封タブと、この開封タブに貫通穴が設けられたことにより形成されたブリッジ部と、このブリッジ部に回動可能に取り付けられた開封補助摘み片と、この開封補助摘み片に形成された摘み部と、前記開封補助摘み片の表面に形成されると共に前記内容物のブランド等が記載される広告宣伝記載部と、を有してなることを特徴としている。
請求項４の発明は、内容物が収容される缶本体と、この缶本体の上端面に形成されると共に脆弱部によって区画形成された開封部と、前記缶本体の上端面に沿うようにして倒された状態で配設されると共に先端部を起こすと基端部が開封部を缶本体に押し込めることにより缶本体を開封する開封タブと、この開封タブに貫通穴が設けられたことにより形成されたブリッジ部と、このブリッジ部に回動可能に取り付けられた開封補助摘み片と、この開封補助摘み片に形成された摘み部と、前記開封補助摘み片の表面に形成されると共に前記内容物のブランド等が記載される広告宣伝記載部と、前記開封補助摘み片の裏面に形成されると共にくじの結果等を示す文字や記号が記載される文字記号記載部と、を有してなることを特徴としている。
【発明の効果】
【０００６】
本発明の開封容易で広告宣伝効果の高いプルトップ缶は、開封補助摘み片を引っ張るだけで容易に開封することができると共に開封補助摘み片には広告宣伝記載部が設けられているので開封補助摘み片によっても内容物の広告、宣伝を行って広告、宣伝効果を一段と高めることができるという優れた効果を有する。
また、請求項４の開封容易で広告宣伝効果の高いプルトップ缶は、上記優れた効果の他に開封補助摘み片にくじの結果や景品応募等に必要な文字や記号が記載される文字記号記載部を設けたので、開封補助摘み片を利用して景品くじ等を行うことができるという優れた効果を有する。
【発明を実施するための最良の形態】
【０００７】
発明を実施するために最良の形態の例として以下のような実施例を示す。
【実施例１】
【０００８】
図１〜図６には本発明に係る開封容易で広告宣伝効果の高いプルトップ缶の第１実施例が示されている。なお、この実施例では開封容易で広告宣伝効果の高いプルトップ缶をソフトドリンクを収容した場合を例にして説明する。
図１及び図２に示されるように、開封容易で広告宣伝効果の高いプルトップ缶１０はアルミニウムで製造されたアルミ缶であり、ソフトドリンクが収容された缶本体１１の上端には上端面１２が形成されている。この上端面１２には脆弱部としての平面視略Ｕ字状の脆弱線１４が形成され、脆弱線１４によって開封部１６が区画形成されている。
図２に示されるように、前記上端面１２には鋲１８を介して平面視略楕円形状の開封タブ２０が前記開封部１６と反対側に向かって上端面１２に沿うようにして倒された状態で設けられている。また、この開封タブ２０の基端部２０Ａは開封部１６の上方に位置するようになっている。
前記開封タブ２０には第１穴２２と第２穴２４が並んで貫通形成されている。この第１穴２２を貫通形成することにより開封タブ２０の先端部２０Ｂにはブリッジ部２６が形成されている。
このブリッジ部２６には開封補助摘み片３０が折り返された状態で取り付けられている。この開封補助摘み片３０は薄いシート体にアルミニウム等の金属を蒸着することにより形成されており、開封補助摘み片３０を強く引っ張ったり、あるいは開封補助摘み片３０が濡れたりしても破れ難くなっている。
図４に示されるように、前記開封補助摘み片３０は中央部３２を挟んで第１片部３４と第２片部３６が形成されている。これら第１片部３４と第２片部３６は中央部３２よりも幅広で略円形状に形成されている。なお、前記第１片部３４と第２片部３６は共に前記開封タブ２０に貫通形成された第１穴２２の幅寸法よりも幅狭に形成されているので、第１穴２２に挿入し易く開封補助摘み片３０をブリッジ部２６に取り付ける場合に取り付け易くなっている。
また、前記第１片部３４の裏面３４Ａと第２片部３６の裏面３６Ａには接着剤３８が塗布されている。従って、図６に示されるように中央部３２で第１片部３４を折り返して第１片部３４と第２片部３６を重ね合わせると第１片部３４と第２片部３６が接着して略円形状の摘み部４０が形成されるようになっている。
なお、前記開封補助摘み片３０の中央部３２の裏面３２Ａには接着剤３８は塗布されていないので、中央部３２は環状となってブリッジ部２６が遊嵌された状態になり、これにより開封補助摘み片３０は開封タブ２０に対して回動可能となる。
図５に示されるように、前記開封補助摘み片３０の第１片部３４の表面３４Ｂと第２片部３６の表面３６Ｂには前記缶本体１１に収容されているソフトドリンクのブランドや商品説明等を記載できる広告宣伝記載部４２が形成されている。
従って、開封容易で広告宣伝効果の高いプルトップ缶１０においては、缶本体１１の外周面１１Ａだけでなく開封補助摘み片３０にもブランド等を記載できるので、広告宣伝効果を一段と高めることができると共に缶本体１１を真上から見ても開封補助摘み片３０を見るとブランド等が目に入るので消費者にブランド等を宣伝することができる。
【０００９】
次に、第１実施例の開封容易で広告宣伝効果の高いプルトップ缶１０の作用を説明する。
図２及び図３に示されるように、開封容易で広告宣伝効果の高いプルトップ缶１０を開封する場合は開封補助摘み片３０の摘み部４０を指で摘んで開封補助摘み片３０を開封タブ２０に対して約４５度（図２の状態）に回動させて引っ張る。これにより、図３に示されるように開封タブ２０の先端部２０Ｂは開封補助摘み片３０に引っ張られて開封タブ２０は引き起こされるため開封タブ２０の基端部２０Ａが前記開封部１６を缶本体１１内部に押し込む状態となる。これにより、前記脆弱線１４が破れて開封部１６が缶本体１１内に押し込まれることにより缶本体１１は開封される。
従って、開封容易で広告宣伝効果の高いプルトップ缶１０においては開封タブ２０が缶本体１１の上端面１２に沿って倒れた状態で設けられていても開封補助摘み片３０を摘んで引っ張るだけで開封できるので、専用開封具等を用いなくとも力の弱い子供、女性や爪を長く伸ばしている者でも容易に開封することができる。
また、前記開封補助摘み片３０の第１片部３４の表面３４Ｂと第２片部３６の表面３６Ｂには前記缶本体１１に収容されているソフトドリンクのブランドや商品説明等が記載される広告宣伝記載部４２が形成されている。従って、消費者が開封補助摘み片３０を見るだけでブランドや商品説明等が目に入って広告宣伝となるので、缶本体１１の外周面１１Ａだけにブランド等を記載して広告宣伝する場合に比べて広告宣伝効果を一段と高めることができる。
また、開封補助摘み片３０は生産時や流通時等は横に飛び出さないように図１に示されるように開封タブ２０の上になるように配設するが、開封補助摘み片３０は回動可能に取り付けられているので、商品陳列時等において必要であれば開封補助摘み片３０を反対方向に回動させることにより開封容易で広告宣伝効果の高いプルトップ缶１０の商品陳列に斬新さを演出するようにしてもよい。
なお、ソフトドリンクメーカーが前記開封補助摘み片３０に施す色彩やデザインを複数用意しておけば友達同士で同じブランドのソフトドリンクを購入して飲みかけを同じ場所に置いても、開封補助摘み片３０の色彩やデザインが異なった開封容易で広告宣伝効果の高いプルトップ缶１０を買っていれば前記開封補助摘み片３０の色彩やデザインが判別マーカーの役目を果たして他の友達の飲みかけを間違って手にとって飲んでしまうような事態を避けることができる。
【実施例２】
【００１０】
図７には本発明に係る開封容易で広告宣伝効果の高いプルトップ缶の第２実施例が示されている。なお、第１実施例と同一の構成は同一の符号を用いてその説明は省略する。
図７に示されるように、開封容易で広告宣伝効果の高いプルトップ缶１０に用いられる開封補助摘み片５０の第１片部３４の裏面３４Ａと第２片部３６の裏面３６Ａにはソフトドリンクメーカーが催すくじの結果（例えば、景品くじの「当り」や「外れ」の文字やおみくじの「大吉」や「小吉」の文字）やソフトドリンクメーカーが催す景品応募に必要な記号（例えば、景品応募する場合に必要になる文字や記号等）等が印刷された文字記号記載部５２が形成されている。
従って、ソフトドリンクメーカーは前記開封補助摘み片５０の文字記号記載部５２を利用して「景品くじ」，「おみくじ」や「景品応募」等を実施することができ、消費者が「景品くじ」，「おみくじ」や「景品応募」等に関心を寄せることによりソフトドリンクの売上を伸ばすことが可能となる。
なお、前記開封補助摘み片５０の第１片部３４の裏面３４Ａの先端部３４Ｃと第２片部３６の裏面３６Ａの先端部３６Ｃには接着剤３８が塗布されていないので、消費者が前記文字記号記載部５２を見るために第１片部３４と第２片部３６を引き剥がす場合において第１片部３４と第２片部３６が引き剥がし易くなっている。
なお、他の構成、作用、効果は第１実施例の開封容易で宣伝効果の高いプルトップ缶１０と同一であるのでその説明は省略する。
【００１１】
なお、実施例では開封補助摘み片３０の摘み部４０の形状を略円形状に形成したが、摘み部４０の形状はこれに限定されるものでないことは勿論である。
【００１２】
なお、この実施例においては開封容易で広告宣伝効果の高いプルトップ缶１０としてアルミ缶を用いた場合を例にして説明したが、アルミ缶に限定されるものでなくスチール缶等でもよいことは勿論である。
また、この実施例においては開封容易で広告宣伝効果の高いプルトップ缶１０の内容物としてソフトドリンクの場合を例にして説明したが、内容物はソフトドリンクに限定されるものでなくアルコール飲料等でもよいことは勿論である。
なお、開封補助摘み片３０，５０の形状は実施例に示した形状に限定されるものでなく、例えば開封補助摘み片３０，５０の全体形状を長方形状にしてもよいことは勿論である。
また、実施例では開封補助摘み片３０，５０は薄いシート体にアルミニウム等の金属を蒸着することにより形成したのもを示したが、破れにくい性質を有していれば紙等他の材料で形成してもよいことは勿論である。
【図面の簡単な説明】
【００１３】
【図１】第１実施例の開封容易で広告宣伝効果の高いプルトップ缶の全体斜視図である。
【図２】第１実施例の開封容易で広告宣伝効果の高いプルトップ缶の作用説明図である。
【図３】第１実施例の開封容易で広告宣伝効果の高いプルトップ缶の作用説明図である。
【図４】第１実施例の開封容易で広告宣伝効果の高いプルトップ缶に使用される開封補助摘み片の裏面側からの展開図である。
【図５】第１実施例の開封容易で広告宣伝効果の高いプルトップ缶に使用される開封補助摘み片の表面側からの展開図である。
【図６】第１実施例の開封容易で広告宣伝効果の高いプルトップ缶に使用される開封補助摘み片の全体斜視図である。
【図７】第２実施例の開封容易で広告宣伝効果の高いプルトップ缶に使用される開封補助摘み片の裏面側からの展開図である。
【符号の説明】
【００１４】
１０    開封容易で広告宣伝効果の高いプルトップ缶
１１    缶本体
１２    上端面
１４    脆弱線
１６    開封部
１８    鋲
２０    開封タブ
２６    ブリッジ部
３０    開封補助摘み片
３２    中央部
３４    第１片部
３６    第２片部
４０    摘み部
４２    広告宣伝記載部
【図１】
2005170411.tif 000003
【図２】
2005170411.tif 000004
【図３】
2005170411.tif 000005
【図４】
2005170411.tif 000006
【図５】
2005170411.tif 000007
【図６】
2005170411.tif 000008
【図７】
2005170411.tif 000009